(57)【要約】 【課題】  ＲＦＩＤタグへのデータの書き込みが失敗した場合には、ＲＦＩＤタグを確実に使用不可能とし不測の事態の発生を防止すること。【解決手段】  ＲＦＩＤタグを内蔵したラベル又はタグを搬送する搬送手段４１と、ＲＦＩＤタグに対して読み取り／書き込みを行うＲＦＩＤ読み取り／書き込み装置２８と、カッター機構２９と、ＲＦＩＤタグへの書き込みが成功したかを判定する判定手段Ｓ５と、この判定手段により前記ＲＦＩＤタグへの書き込みが成功しなかったと判定された場合には、ＲＦＩＤタグのアンテナをカット機構２９で切断する切断手段Ｓ６とを具備したことを特徴とする。【選択図】    図４
2006201883.tif 000002
【特許請求の範囲】
【請求項１】
ＲＦＩＤタグを内蔵したラベル又はタグを搬送する搬送手段と、
前記ＲＦＩＤタグに対して読み取り／書き込みを行うＲＦＩＤ読み取り／書き込み装置と、
カッター機構と、
前記ＲＦＩＤタグへの書き込みが成功したかを判定する判定手段と、
この判定手段により前記ＲＦＩＤタグへの書き込みが成功しなかったと判定された場合には、前記ＲＦＩＤタグのアンテナを前記カット機構で切断する切断手段とを具備したことを特徴とするＲＦＩＤ読み込み／書き込み装置。
【請求項２】
ＲＦＩＤタグを内蔵したラベル又はタグを搬送する搬送手段と、
前記ラベル又はタグの表面に印字を行う印字部と、
前記ＲＦＩＤタグに対して読み取り／書き込みを行うＲＦＩＤ読み取り／書き込み装置と、
前記搬送部で搬送されつつ印字部で表面に印字されたラベルを切断するカッター機構と、
前記ＲＦＩＤタグへの書き込みが成功したかを判定する判定手段と、
この判定手段により前記ＲＦＩＤタグへの書き込みが成功しなかったと判定された場合には、前記ＲＦＩＤタグのアンテナを前記カット機構で切断する切断手段とを具備したことを特徴とするＲＦＩＤ読み込み／書き込み機能を備えたプリンタ。
【発明の詳細な説明】
【技術分野】
【０００１】
本発明は、非接触でデータを読み出し／書き込みすることができるＲＦＩＤ読み込み／書き込み装置を内蔵したＲＦＩＤ読み込み／書き込み機能を備えたプリンタに関する。
【背景技術】
【０００２】
一般的に、ＲＦＩＤ（Radio Frequency Identification）ラベルあるいはタグは、電波を利用することにより非接触でデータを読み書きすることができるので、バーコードに変わる技術として注目されている。
【０００３】
しかし、店舗に設置されているバーコードを読み取るシステムをＲＦＩＤ対応に切り換えてしまうと、現行のバーコードを読み取ることができなくなってしまう。
【０００４】
そこで、１つのラベルあるいはタグにバーコードの印刷とＲＦＩＤの書き込みを行う必要が発生する。このような必要性を満たすように、１つのタグにバーコードの印刷とＲＦＩＤの書き込みを行う機能を備えたプリンタが知られている（特許文献１参照）。このプリンタに示すように、ラベルをラベル搬送方向に搬送してＲＦＩＤにデータを書き込んだ後、ラベルを逆方向に搬送させてラベルの表面にバーコードを印刷するようにしていた。
【０００５】
ＲＦＩＤラベルは図２に示すような構成を有する。図２において、１１は台紙、１２はラベルである。そして、台紙１１とラベル１２との間には、ＲＦＩＤタグ１３が配設されている。このＲＦＩＤタグ１３は、環状のＲＦＩＤアンテナ１４とＲＦＩＤチップ１５で構成される。
【０００６】
また、図２に示すようなＲＦＩＤラベルのラベル１２にバーコードを印刷したり、ＲＦＩＤチップ１５にデータを書き込む図６に示すようなＲＦＩＤ読み込み／書き込み機能を備えたプリンタが知られている。
【０００７】
図６において、４１は台紙１１が搬送される搬送路である。この搬送路４１を介する台紙１１の搬送は搬送手段２７により行われる。
【０００８】
４２はプラテンである。このプラテン４２より上流側にＲＦＩＤ読み込み／書き込み装置２８が設けられている。
【０００９】
また、このプラテン４２と搬送路４１を挟んで対向するように印字ヘッド３１が配設されている。この印字ヘッド３１は例えば、サーマルヘッドで構成されている。
【００１０】
この印字ヘッド３１より上流側には、インクリボン４３を供給する供給側ローラ４４が設けられ、印字ヘッド３１の下流側には、インクリボン４３を巻き取る巻き取り側ローラ４５が設けられている。
【特許文献１】特開２００１−９６８１４
【発明の開示】
【発明が解決しようとする課題】
【００１１】
ＲＦＩＤタグ１３へのデータの書き込みは、無線技術を使用して書き込みを行うため、その書き込みに失敗する場合がある。
【００１２】
そして、ＲＦＩＤタグ１３へのデータの書き込みが失敗するとラベルにエラーパターンと呼ばれる特殊な印字パターンを印字することにより、ユーザに対してその旨を知らせるようにしている。
【００１３】
ＲＦＩＤタグ１３へのデータの書き込みが失敗する原因としてＲＦＩＤタグ１３やＲＦＩＤチップ１５の固体差によるアンテナ利得の違いの組み合わせにより失敗する場合がある。
【００１４】
しかし、利得が規定値に達しなかったためにＲＦＩＤタグ１３へのデータの書き込みが
失敗しても、他のＲＦ／ＩＤ読み込み／書き込み装置を使用すれば、ＲＦＩＤタグ１３へのデータの書き込みや読み込みが可能なものが多い。
【００１５】
このようなＲＦＩＤタグ１３が出回ると、不測の事態が発生する問題がある。
【００１６】
本発明は上記の点に鑑みてなされたもので、その目的は、ＲＦＩＤタグへのデータの書き込みが失敗した場合には、ＲＦＩＤタグを確実に使用不可能とし不測の事態の発生を防止することができるＲＦＩＤ読み込み／書き込み機能を備えたプリンタを提供することにある。
【課題を解決するための手段】
【００１７】
請求項１記載の発明は、ＲＦＩＤタグを内蔵したラベル又はタグを搬送する搬送手段と、
前記ＲＦＩＤタグに対して読み取り／書き込みを行うＲＦＩＤ読み取り／書き込み装置と、カッター機構と、前記ＲＦＩＤタグへの書き込みが成功したかを判定する判定手段と、この判定手段により前記ＲＦＩＤタグへの書き込みが成功しなかったと判定された場合には、前記ＲＦＩＤタグのアンテナを前記カット機構で切断する切断手段とを具備したことを特徴とする。
【発明の効果】
【００１８】
請求項１記載の発明によれば、ＲＦＩＤタグへのデータを書き込みが失敗した場合には、ＲＦＩＤタグのアンテナを切断するようにしてそのＲＦＩＤタグを使用できなくしたので、不測の事態の発生を防止することができる。
【発明を実施するための最良の形態】
【００１９】
以下図面を参照して本発明の一実施の形態について説明する。まず、図１のブロック図を参照して、ＲＦＩＤ読み込み／書き込み機能を備えたラベルプリンタのシステム構成について説明する。
【００２０】
図１において、２１は本装置を統括して制御するＣＰＵ（中央処理装置）である。このＣＰＵ２１からのシステムバス２１ａには、フラッシュＲＯＭ（リード・オンリ・メモリ）２２、ＲＡＭ（ランダム・アクセス・メモリ）２３、入力部２４、印字ヘッド制御部２５、表示部２６、搬送手段２７、ＲＦＩＤ読み込み／書き込み装置２８、カッター機構２９が接続される。
【００２１】
前記印字制御部２５には、印字ヘッド３１が接続される。
【００２２】
フラッシュＲＯＭ２２には、プリンタ動作に必要な各種制御プログラムが記憶されている。
【００２３】
ＲＡＭ２３には、上記各種制御プログラムで使用する作業エリアが確保される。
【００２４】
印字ヘッド制御部２５は、例えばサーマルヘッドで構成される印字ヘッド３１に対して駆動信号を出力する。
【００２５】
表示部２６は、例えば液晶表示装置より構成される。
【００２６】
搬送手段２７は、ラベル１２が貼付された台紙１１を搬送する例えばステッピングモータ、搬送ローラ等により構成される。
【００２７】
カッター機構２９は、台紙１１を切断したり、ＲＦＩＤアンテナ１４を切断する機能を有する。
【００２８】
次に、図３を参照してＲＦＩＤ読み込み／書き込み機能を備えたプリンタのハード構成の要部について説明する。
【００２９】
図３において、４１は台紙１１が搬送される搬送路である。この搬送路４１を介する台紙１１の搬送は搬送手段２７により行われる。
【００３０】
４２はプラテンである。このプラテン４２より上流側にＲＦＩＤ読み込み／書き込み装置２８が設けられている。このプラテン４２よりラベル搬送方向下流側にカッター機構２９が設けられている。
【００３１】
また、このプラテン４２と搬送路４１を挟んで対向するように印字ヘッド３１が配設されている。この印字ヘッド３１は例えば、サーマルヘッドで構成されている。
【００３２】
この印字ヘッド３１より上流側には、インクリボン４３を供給する供給側ローラ４４が設けられ、印字ヘッド３１の下流側には、インクリボン４３を巻き取る巻き取り側ローラ４５が設けられている。
【００３３】
図３は印字ヘッド３１がホームポジションに来たときの図２のＲＦＩＤタグ１３の位置関係を示している。図２のＲＦＩＤタグ１３は、ラベル１２内において、ＲＦＩＤアンテナ１４とＲＦＩＤチップ１５が印字ヘッド３１側に偏って埋設されている。従って、ＲＦＩＤアンテナ１４とＲＦＩＤチップ１５は、ほぼＲＦＩＤ読み込み／書き込み装置２８の上方に位置している。
【００３４】
次に、上記のように構成された本発明の一実施の形態の動作について図４のフローチャートを参照しながら説明する。まず、ＲＦＩＤ読み込み／書き込み装置２８はＲＦＩＤタグデータをＲＦＩＤタグ１３に書き込む処理を行う（ステップＳ１）。ＲＦＩＤタグデータとして商品データ（商品名、商品価格等）が挙げられる。
【００３５】
次に、ＲＦＩＤ読み込み／書き込み装置２８は、ＲＦＩＤタグ１３へのデータの書き込みが成功したかを判定する（ステップＳ２）。
【００３６】
このステップＳ２の判定で「ＹＥＳ」と判定された場合には、ラベルの発行が行われる（ステップＳ３）。つまり、印字ヘッド３１でラベル１２上に商品データとして例えば、商品名、バーコードが印刷される。
【００３７】
一方、ステップＳ２の判定で「ＮＯ」と判定された場合には、搬送手段２７によりラベル１２がフィードされながらＲＦＩＤタグ１３にデータを書き込む処理が行われる（ステップＳ４）。つまり、リトライされる。
【００３８】
そして、ＲＦＩＤタグ１３へのデータの書き込みが成功したかが判定される（ステップＳ５）。
【００３９】
このステップＳ５の判定で「ＹＥＳ」と判定された場合には、前述したようにラベル発行がなされる（ステップＳ３）。つまり、印刷された後にさらに台紙１１が搬送されて、この印字されたラベル１２と次のラベル１２の間の台紙１１がカッター機構２９によって切断される。
【００４０】
一方、ステップＳ５の判定で「ＮＯ」と判定された場合には、カッター機構２９によりＲＦＩＤアンテナ１４が図５に示すように切断される。
【００４１】
このようにして、ＲＦＩＤタグ１３へのデータの書き込みが成功しなかった場合には、ＲＦＩＤアンテナ１４を切断するようにしたので、データの書き込みが成功しなかったＲＦＩＤタグ１３を確実に使用不可能にすることができる。
【００４２】
なお、上記した実施の形態では、カッター機構２９で台紙１１を切断したり、ＲＦＩＤアンテナ１４を切断したりするようにしたが、ＲＦＩＤアンテナ１４を切断する機構を別個に設けても良い。
【００４３】
また、上記実施の形態では、ＲＦＩＤアンテナ１４は環状であったが、環状以外のＲＦＩＤアンテナ１４でも適用可能である。その場合には、ＲＦＩＤアンテナ１４を切断する機構をカッター機構２９に設けても良いし、特別なカッター機構を設けるようにしても良い。
【００４４】
さらに、上記実施の形態では、ラベルプリンタでラベルに埋め込んだＲＦＩＤタグのアンテナを切断するようにするものを例としたが、ラベルプリンタ以外のプリンタや、プリンタでなく搬送されるＲＦＩＤタグに読み込み／書き込み可能な装置であっても良い。
【図面の簡単な説明】
【００４５】
【図１】本発明の一実施の形態に係るＲＦＩＤ読み込み／書き込み機能を備えたプリンタのシステム構成を示すブロック図。
【図２】同実施の形態に係るＲＦＩＤラベルを示す図。
【図３】同実施の形態に係るＲＦＩＤ読み込み／書き込み機能を備えたプリンタの構成を示す図。
【図４】同実施の形態の動作を説明するためのフローチャート。
【図５】同実施の形態に係るＲＦＩＤタグのＲＦＩＤアンテナが切断された状態を示す図。
【図６】従来のＲＦＩＤ読み込み／書き込み機能を備えたプリンタの構成を示す図。
【符号の説明】
【００４６】
２１…ＣＰＵ、２２…ＲＯＭ（リード・オンリ・メモリ）、２３…ＲＡＭ（ランダム・アクセス・メモリ）、２４…入力部、２５…印字ヘッド制御部、２６…表示部、２７…搬送手段、２８…ＲＦＩＤ読み込み／書き込み装置、２９…カッター機構、３１…印字ヘッド。
【図１】
2006201883.tif 000003
【図２】
2006201883.tif 000004
【図３】
2006201883.tif 000005
【図４】
2006201883.tif 000006
【図５】
2006201883.tif 000007
【図６】
2006201883.tif 000008